(57)【要約】      （修正有）【課題】釣り用クッションゴムのサルカンとクッション体の結束部位に切断や結束トラブルが発生しないで、更にクッション体のメンテナンスがその場で出来る。【解決手段】細長棒状の止め具３の側面３ａに開口する通し穴４にクッション体１を差し込み、螺旋状のリード凹部５の溝に巻き込みながら、ロック溝６に挟み込んで、サルカン孔７にサルカン２を連結してなる、止め具付きクッションゴムである。【選択図】図１
0003133584.tif 000002
【実用新案登録請求の範囲】
【請求項１】
弾性線条体のクッション体（１）とサルカン（２）の接続を、細長棒状の止め具（３）の側面（３ａ）に開口する通し穴（４）にクッション体（１）を差し込み、その止め具（３）の外周に設けた、螺旋状のリード凹部（５）の溝に巻き込みながら、止め具（３）の端部に開口するロック溝（６）に挟み込んで固く終結し、サルカン孔（７）にサルカン（２）を連結してなる、止め具付きクッションゴムにおいて、止め具（３）の通し穴（４）に差し込まれたクッション体（１）は、其の通し穴（４）に交差して設けた、外周に向け開口する引き出し孔（４ａ）から引出し、次ぎにサルカン孔（７）を通した後に折り返して引き出し孔（４ａ）を通し、折り返しのクッション体（１）を止め具（３）外周に挟み込んで、螺旋状のりード凹部（５）に沿って巻き付け、端末は巻き込んだ隙間等に挟み込み終結し、通し穴（４）から外部に伸びるクッション体（１）に引っ張りを加えることで、サルカン孔７に通されたクッション体（１）をロック溝（６）に弾発力を受け挟着結合させ、これらのサルカン孔（７）にサルカン（２）か、クリップ付きサルカン（２０）或いは、糸材等を接続可能にした事を特徴とする止め具付きクッションゴム。
【請求項２】
上記する止め具（３）のサルカン孔（７）に近接する側面を延長し、サルカン体軸孔（８ａ）付きで成るスペース（８）を設け、ストッパー（９）と連結孔（９ａ）を備えたサルカン体（１０）が、回動自在にスペース（８）に離脱する事無く係止可能にした事を特徴とする請求項１記載の止め具付きクッションゴム。
【請求項３】
請求項１記載でなる止め具（３）ニ個を使い、これらのサルカン孔（７）側の相互の側面を対向し一体化し開口するサルカン孔（７）に二個のロック溝（６）を連接した構成にし、両サイドの夫々の通し穴（４）を介し、異なるクッション体（１）同志の結合或いは、糸材とクッシヨン体（１）等を接続可能にした事を特徴とする請求項１記載の止め具付きクッションゴム。
【請求項４】
上記するクッシヨン体（１）の端子に、チュウブ（９）を被せるか、糸材を並列して、止め具（３）に具備する引出し孔（４ａ）に、これらの複合でなるクッション体（１）を貫通させ、結び目（１０）をつくることで、結び目（１０）が緩む事無く止め具（３）とクッション体（１）を接続可能にした事を特徴とする請求項１，２又は３項記載の止め具付きクッションゴム。
【請求項５】
上記する弾性線条体のクッション体１を釣り糸材にした事を特徴とする請求項１，２，３又は４項記載の止め具付きクッションゴム。
【考案の詳細な説明】
【技術分野】
【０００１】  この考案は、釣り用クッションゴムに関し，詳しくは道糸側とハリス側間に接続し、魚が釣れた際の衝撃を緩和し、ハリス切れや魚の口切れの防止に使われる釣り用クッションゴムの改良で、引っ張り最大集中荷重を受け破損し易い部位であるクッション部端子とサルカン（撚り戻し具）との結合部位を強靭な構成にする為の改良に関するものである。
【背景技術】
【０００２】  この種の従来の最も近い技術として，図６での述べるように、出願番号２００６−００５３６０の「止め具付きクッションゴム」が開示され、サルカン２が接続してなる樹脂成形品或いは金属製の細長棒状の止め具３が、個別の弾性線条体でなるクッション体１の端子を、止め具３の側面に開口し、外周に向けて貫通する通し孔４に差し込み、外周に切り込んだ螺旋状のリード凹部５の溝に巻き付け、止め具３の端部に開口するサルカン孔７に連係して連なるクッション体１が弾発力を受けて無理嵌めで、ロック溝６に固着されて、クッション体１と止め具３が接続され、且つこの細長棒状の止め具３のサルカン孔７に接続するサルカン２とクッシヨン体１とが、止め具３を介し接続された構成でなる。【０００３】  このように構成する止め具付きクッションゴムは、道糸側とハリス側の間に位置しての仕掛けで作られるが、カゴ釣りでは止め具付きクッションゴムの道糸側のサルカン２に寄せエサを詰め込むカゴが吊るされ、海中で寄せエサを撒き，魚をおびき寄せ集め、ハリスに接続した釣り針のエサを魚に食い付かせて釣り上げるが、エサに食いついた魚は、逃げ出す瞬時に引つ張る衝撃が止め具付きクッションゴムの伸縮性によって，針り掛かりでの魚の口切れや、ハリスや道糸の不測な糸切れを未然に防止し、更には魚の一瞬の急激なアタリに順応する事が魚への針り掛かりを確実なものにし、釣りの成果を上げている。【０００４】  この様に止め具付きクッションゴムを仕掛けにしての、釣りの多くはカゴ釣り或いはビシ釣りで、南方に生息する高級魚シマアジや防波堤の夜釣りの夜行性イサキ、或いは磯周辺を回遊する巨大魚ヒラマサや、船釣り主流のマダイ釣り或いは、防波堤での足場の高い磯でのポイントが遠く深い場所での、メジナ釣りなどでの仕掛けに、止め具付きクッションゴムと併用するカゴ釣りやビシ釣りにて釣果を上げていることで知られる。
【考案の開示】
【考案が解決しようとする課題】
【０００５】  しかしながら図６で示すように、従来技術での止め具付きクッションゴムでは、伸縮自在で成るのクッション体１を細長棒状の止め具３の外周に螺旋状に巻き込み結束されるが、通し穴４の開口部にクッション体１の末端を差し込み、順次螺旋状のリード凹部５に巻き込まれ、サルカン孔７に差し込まれたクッション体１の末端は、狭いスリット状のロック溝６に強引に引っ張り状態で挟み込まれることで、クッション体１の持つ弾発力を受けながら固定されるが、海中での魚のアタリでのクッション体１が矢印ａ方向への引っ張りでの伸び縮みの繰り返しが作用し、始め固くロック溝６に弾発力で挟み込まれたクッション体１が、ロック溝６の挟着が除除にクッション性が劣化し、緩んで終い止め具３からほどけて、魚を釣り逃がしてしまうなどの課題がある。【０００６】  またクッシヨン体１の引っ張りの反動がリード凹部５の巻き込まれを徐々にゆるませてしまう等の課題がある。【０００７】  そしてまた、使われるクッション体１の太さは、様様で其の長さも数多く商品化され、釣る魚の種類に依ってクッション体１の太さが選ばれるが、太さにおいては最も細い１，２ｍｍから３、５ｍｍと太くなるに従って引っ張り力が強くなり、切れ難いが伸ばす力が強烈になる為、止め具３のロック溝６に太いクッション体１を指先で摘んで引っ張って挟み込む手作業に困難である等の課題がある。【０００８】  そして、深海での大物魚を狙うには、当然魚のアタリや食い付きでの、クッション体１に掛かる引き力が強力になる為、太く強いクッション体１が使われる為、クッション体１と止めと具３との結合作業に難があり、特にクッション体１の端末仕上げでのロック溝６の所定の狭いスリットに手作業でクッション体１を強力に引っ張りながらの挟み込みに難があるなどの課題がある。【０００９】  更には、クッション体１荷重働く引っ張りの支点は通し穴４に連なる始めのリード凹部５の急カーブＰ点の一点に集中重が加わり、引っ張り力がＰ点からロック溝６間には分散されず、不測に其のＰ点部位が切断する等の課題が残る。
【課題を解決するための手段】
【００１０】  この考案はかかる一点集中荷重の分散と伸縮での緩みとロック溝６の外れる等の課題を解決する為に、請求項１では図１（ａ），（ｂ）図２で述べる様に弾性線条体のクッション体１の端末を、クリップ２０付きサルカン２の接続する細長棒状の止め具３の該外周に設けた螺旋状のリード凹部５に巻き付ける事で、クッション体１とクリップ２０付きサルカン２とを接続する止め具付きクッシヨンゴムは、其の止め具３の長手方向での片方側面に開口した通し穴４に交差して外周に向け両面に開口して貫通する引出し孔４ａを設けて、其れに連らなる外周に切り込んだ螺旋状のリード凹部５の終わりには、クッション体１の太さよりやや狭い所定の溝巾でなるロック溝６付きでのサルカン孔７を開口して構成する。【００１１】  これら構成での止め具３の通し穴４にクッション体１の端末を差し込み、片方の引き出し孔４ａを貫通させてロック溝６に連なるサルカン孔７に通しながら、片面に沿うって折り返し再度片方の引き出し孔４ａを通過し、其の片面に沿うクッション体１を覆いながら螺旋状のリード凹部５に巻き込み、端末を巻き終わりの隙に挟んで仕上げ、サルカン孔７にクリップ２０付きサルカン２を接続することで止め具付きクッションゴムが完成する。いわゆる止め具３を介在し、クッション体１とクリップ２０付きサルカン２或いはサルカン２単体が一体化可能にした、止め具付きクッションゴムを構成する。【００１２】  次ぎに又請求項２では図３で述べる様に上記する止め具３のサルカン孔７に近接する側面を延長し、サルカン体軸孔８ａ付きでなるスペース８を設け、ストッパー９と連結孔９ａを備えたサルカン体１０が、回動自在にスペース８に離脱する事無く係止可能にした構成とする。【００１３】  次ぎに又請求項３では図４で述べる様に請求項１記載でなる止め具３を２個使い、これらのサルカン孔７側の相互の側面を対向し一体化し、これらの２個でのサルカン孔７を一個に統合し、これらに二個のロック溝６を連接した構成にし、両サイドの夫々の通し穴４を介し、異なるクッション体１同志の結合或いは、糸材とクッション体１等を接続可能な構成である。【００１４】  次ぎに又請求項４では図５で述べる様に上記するクッション体１の端末に、チュウブを被せるか、糸材を並列して、止め具３に具備する引き出し孔４ａに、これらの複合でなるクッション体１を貫通させ、結び目１０をつくることで、結び目１０が緩む事無く止め具３とクッション体１とを接続可能な構成とする。【００１５】  次ぎに請求項５での考案は図１（ｂ）を兼用するに、前記する弾性線条体のクッション体１の変わりに、釣り糸材１０１、例えば道糸ではプリエチル系、スーパーＰＥ系、ナイロン系、ハリスではフロロカーボン系等の糸に変えて、止め具３に係合しての構成とするものである。
【考案の効果】
【００１６】  本考案は、上述の通り構成作用するので、次の優れた効果を奏する．即ち請求項１では、クンションと止め具との結束は、止め具の側面に開口する通し穴に差し込まれたクッション体が弾発力を受けロック溝にダイレクトに固く挟み込まれ保持されることで、クッションに強烈な引っ張り荷重や、繰り返し荷重などがかかっても、クッション体の終末までの結束が有効に伸縮が作用し支点が常時移動し、止め具に結束したクッションが突如切れたり、緩んだりすることの無い、止め具付きクッションゴムを提供する事が出来る。【００１７】  更に請求項２では、止め具に個別に連係するサルカン体を簡素化機能にする為、止め具の片方の側面にサルカン体が遊合自在に係合し、一体化構成し、それらのサルカン体に連結孔を開口し、これらに道糸やハリスを直結可能にした、止め具付きクッションゴムを提供することが出来る【００１８】  次ぎに又請求項３では、細長棒状の止め具を介在しその片端に例えば、クッションを結束し、他方の端には、ハリスを結束しそ双方を簡単に結ぶことなく結合出来、少なくともクッションの片方にサルカンなしでの止め具付きクッションゴムを提供することが出来る。【００１９】  次ぎに請求項４では、釣る魚の種類に依っては止め具にクッション体を絡ませる事無くダイレクトに通し穴と引き出し孔に通した端末を結んで使える止め具付きクッションゴムを提供出来る。【００２０】  また請求項５では、クッション体に変わる釣り糸材を止め具を介して、双方を結束出きる等の効果を奏するが、全般的に適時クッション体の長さを、個別に調達持参するボービンに巻き込まれたクッション体を巻き解いて必要な長さに切断し、メンテナンスが出来、破損したクッション体はサルカンと止め具が其のまま常備して使えるなどの優れた止め具付きクッションゴムを提供出来る。
【考案を実施するための最良な形態】
【００２１】  以下に図示の実施例に基づいて本考案を更に詳細に説明する。即ち図１（ａ）は本考案による請求項１での実施例に基づく正面図で、（ｂ）図は背面図を示すもので、伸縮自在のウレタンゴム丸材を所定の太さと長さでの、この弾性線条体のクッション体１の両方の端末に個別で成る止め具３にクリップ２０付きサルカン２が接続され、これらの止め具３を介在しての結束合体構成とするが、これらの止め具３は、合成樹脂成形品或いは金属製で細長棒状（板状）で、その片方の端部側面３ａに開口した通し穴４に交差して表面に向けて開口する引き出し孔４ａを設け、これらの通し穴４はクッション体１が楽に通過する孔径で開口されて、両面に開口する引出し孔４ａに貫通し、其れに接続する螺旋状のリード凹部５はクッション体１の巻き込まれる溝巾とし、クッション体１の弾発力で挟着可能構成としているが、リード凹部５の螺旋状の巻き数、溝の巾、溝の深さ等はクッション体１の仕様に合わせ適時決定されることになる。
【００２２】  これらのリード凹部５は、止め具３の端部側面の近くに開口するロック溝６に接続し、サルカン孔７に連係するが、ロック溝６はクッション体１の太さよりやや狭い溝で、クッション体１を引っ張りながら細い線条で無理に挟み込む巾での構成とする。
【００２３】  これらで構成する止め具３は、第一実施例での図１（ａ），（ｂ）は、止め具３とクッション体１の最適な結合形態を示し、図２はこれらの分解図での斜視図を示すが、止め具３と其れに整合して結合するクッション体１の長さは釣り人に依って決定する為、クッション体１の巻かれたボービンから巻き解かれ、必要な長さに切断されたクッション体１の端末を止め具３の側面３ａに開口する通し穴４に差し込み引き出し孔４ａを通し、サルカン孔７に通され、折り返しで再度引き出し孔４ａの片方の孔に差し込まれて、螺旋状に切り込まれたリード凹部５に巻き付けられ、端末の仕上げは、最終巻きの隙間に差し込まれるが、これらのリード凹部５への巻き込みは、折り返されたクッション体１を止め具３の外周面に挟み込んで巻き込まれる。
【００２４】  側面３ａの通し穴４から飛び出しているクッション体１を矢印方向に引き込む事で、サルカン孔７に通されたクッション体１は狭いロック溝６に細く伸びながら引き込まれ更にリード凹部５に巻き付けから最終巻きの端末を無限に閉め付けられるが、弱い魚のクッション体１の引っ張りから強い引っ張りまで、巻き込み全長に渡って作用し一点の支点荷重重が集中する事無く、絶えず支点が移動し有効にクッション体１の伸縮が行なわれる。
【００２５】  次ぎに第二実施例に付いて述べるに、図３が一部断面での要部斜視図で、上記する止め具３に設けたサルカン孔７に接続するサルカン２を排除し、細長形状の止め具３に具備するサルカン孔７に近接してサルカン体軸孔８ａ付きでなるスペース８を設け、ストッパー９と連結孔９ａを備えたサルカン体１０を回動自在にスペース８から離脱する事無く係止する構成である。
【００２６】  即ち第一実施例での考案は、クッシヨン体１と止め具３とサルカン２の３点部品をセッテングしての止め具付きクッションゴムでの構成として夫々のサルカン２に釣り糸を結んでし掛けを作っていたが、第二実施例は、止め具３とクッション体１の２点構成で止め具３に内臓するサルカン体１０の連結孔９ａに釣り糸を結ぶ構成とする。
【００２７】  次ぎに第三実施例について述べるに、図４が要部を示しての正面図で、第一実施例での止め具３二個を対向して直線上に合体しての止め具３で、即ち双方のサルカン孔７の側面を対向して一体化し、サルカン孔７は一個に連接する二個のロック溝６で構成し、これらの止め具３の両サイドに開口する通し孔４を介し、異なるクッション体１同志の結合或いは、糸体とクッション体１等を接続可能な構成とする。
【００２８】  次ぎに第四実施例について述べるに、図５が要部を示しての斜視図で、上記するクッション体１の端末にクッション性のチュウブ９を程良い長さで被せるか、或いは糸材を程良い長さで並列して、止め具３の側面３ａに開口する通し孔４に、これらで複合するクッシヨン体１を貫通させて、端末に結び目１０を作り、簡単に止め具３にクッション体１を接続する構成である。
【００２９】  これらの止め具３との結合は、結び目１０の部位が強力な魚の引きの支点に掛かる集中荷重に依って、結び目１０に複合したチュウブ９や糸材の補強を加味され支点での切断が防止され、また複合材での接合面での摩擦に依って、結び日１０の緩みを防止する事を具現化している。
【００３０】  次ぎに第五実施例ついて延べるに、図１（１ｂ）を併用するに、上記クッション体１が主に弾性線条体で、熱可塑性ポリウレタンエラストマーから構成される釣り用クッションゴムを基本とするが、これらを釣り糸材１０１に変更しての構成である。
【図面の簡単な説明】
【００３１】
【図１】図中（ａ）図は本考案に係わる第一実施例での正面図で、（ｂ）図は裏面図である。
【図２】本考案に係わる第一実施例での分解斜視図だる。
【図３】本考案に係わる第ニ実施例での一部断面での斜視図である。
【図４】本考案に係わる第三実施例での正面図である。
【図５】本考案に係わる第四実施例での斜視図である。
【図６】従来来技術での斜視図である。
【符合の説明】
【００３２】      １      クッション体
２      サルカン
３      止め具
３ａ    側面
４      通し穴
４ａ    引き出し孔
５      リード凹部
６      ロック溝
７      サルカン孔
８      スペース
８ａ    サルカン体軸孔
９      ストッパー
９ａ    連結孔
１０      結び目
【図１】
0003133584.tif 000003
【図２】
0003133584.tif 000004
【図３】
0003133584.tif 000005
【図４】
0003133584.tif 000006
【図５】
0003133584.tif 000007
【図６】
0003133584.tif 000008